(57)【要約】【課題】送信サブキャリア数が変化してもノイズフロアを上昇させることなく送信信号の振幅を一定に保つことができる送信装置を提供することを課題とする。【解決手段】複素平面状に配置された信号点に対して、送信サブキャリア数に応じた乗算係数を乗算する乗算器（６０２）と、前記乗算器により乗算された信号点に対して逆フーリエ変換する逆フーリエ変換器（１０３）とを有することを特徴とする送信装置が提供される。【選択図】図６
2010283533.tif 000002
【特許請求の範囲】
【請求項１】
複素平面状に配置された信号点に対して、送信サブキャリア数に応じた乗算係数を乗算する乗算器と、
前記乗算器により乗算された信号点に対して逆フーリエ変換する逆フーリエ変換器と
を有することを特徴とする送信装置。
【請求項２】
前記乗算器は、前記逆フーリエ変換器により逆フーリエ変換された信号の振幅が前記送信サブキャリア数に関係なく一定になるように前記乗算係数を乗算することを特徴とする請求項１記載の送信装置。
【請求項３】
さらに、時間単位であるシンボル毎に送信サブキャリアを割り当てるサブキャリアアロケーション部と、
前記サブキャリアアロケーション部により割り当てられた送信サブキャリアにおいて符号を前記複素平面状に配置された信号点にマッピングするベクトルマッピング部とを有し、
前記乗算器は、前記ベクトルマッピング部によりマッピングされた前記複素平面状に配置された信号点に対して前記乗算係数を乗算することを特徴とする請求項１又は２記載の送信装置。
【請求項４】
さらに、前記サブキャリアアロケーション部により割り当てられた送信サブキャリアを基にシンボル毎の送信サブキャリア数をカウントし、前記カウントされた送信サブキャリア数に応じた乗算係数を出力する乗算係数出力部を有し、
前記乗算器は、前記乗算係数出力部により出力された乗算係数を乗算することを特徴とする請求項３記載の送信装置。
【請求項５】
さらに、前記ベクトルマッピング部によりマッピングされた前記複素平面状に配置された信号点を基にシンボル毎の送信サブキャリア数をカウントし、前記カウントされた送信サブキャリア数に応じた乗算係数を出力する乗算係数出力を有し、
前記乗算器は、前記乗算係数出力部により出力された乗算係数を乗算することを特徴とする請求項３記載の送信装置。
【請求項６】
さらに、変換テーブルを基に送信サブキャリア数を乗算係数に変換する乗算係数出力部を有し、
前記乗算器は、前記乗算係数出力部により変換された乗算係数を乗算することを特徴とする請求項１〜３のいずれか１項に記載の送信装置。
【請求項７】
前記乗算器は、送信サブフレーム内の複数のシンボルの中で送信サブキャリア数が最大のシンボルの送信サブキャリア数に応じた乗算係数を乗算することを特徴とする請求項１〜６のいずれか１項に記載の送信装置。
【請求項８】
前記乗算器は、送信サブフレーム内の複数のシンボルの中で送信サブキャリア数が最小のシンボルの送信サブキャリア数に応じた乗算係数を乗算することを特徴とする請求項１〜６のいずれか１項に記載の送信装置。
【請求項９】
前記乗算器は、送信サブフレーム内の１シンボル当たりの送信サブキャリア数の平均値に応じた乗算係数を乗算することを特徴とする請求項１〜６のいずれか１項に記載の送信装置。
【請求項１０】
複素平面状に配置された信号点に対して送信サブキャリア数に応じた乗算係数を乗算する乗算ステップと、
前記乗算ステップにより乗算された信号点に対して逆フーリエ変換する逆フーリエ変換ステップと
を有することを特徴とする送信方法。
【発明の詳細な説明】
【技術分野】
【０００１】
本発明は、送信装置及び送信方法に関する。
【背景技術】
【０００２】
近年、無線通信の分野では周波数を効率よく有効利用できる手法が要求されており、その中で直交周波数多重分割（ＯＦＤＭ）と直交周波数分割多重接続（ＯＦＤＭＡ）は注目されている通信方式となっている。
【０００３】
各サブキャリアの送信信号に係数を乗算して重み付けする複数の重み付け手段と、受信電力に基づいて前記係数を算出して前記重み付け手段に出力する係数算出手段とを具備することを特徴とするＯＦＤＭ送受信装置が知られている（例えば、特開２０００−３３２７２３号公報参照）。
【０００４】
また、１つのサブキャリアグループを構成する複数のサブキャリアに同一の受信ウエイトを乗じて重み付けを行う受信側通信装置に対してマルチキャリア信号を無線送信する通信装置が知られている（例えば、国際公開第ＷＯ２００６／０３５７０４号パンフレット参照）。
【先行技術文献】
【特許文献】
【０００５】
【特許文献１】特開２０００−３３２７２３号公報
【特許文献２】国際公開第ＷＯ２００６／０３５７０４号パンフレット
【発明の概要】
【発明が解決しようとする課題】
【０００６】
本発明の目的は、送信サブキャリア数が変化してもノイズフロアを上昇させることなく送信信号の振幅を一定に保つことができる送信装置及び送信方法を提供することである。
【課題を解決するための手段】
【０００７】
送信装置は、複素平面状に配置された信号点に対して、送信サブキャリア数に応じた乗算係数を乗算する乗算器と、前記乗算器により乗算された信号点に対して逆フーリエ変換する逆フーリエ変換器とを有することを特徴とする。
【発明の効果】
【０００８】
送信サブキャリア数が変化してもノイズフロアを上昇させることなく送信信号の振幅を一定に保つことができる。
【図面の簡単な説明】
【０００９】
【図１】ＯＦＤＭＡの端末装置（無線送信装置）の構成例を示すブロック図である。
【図２】ベクトルマッピング回路のマッピング処理を示す図である。
【図３】送信サブキャリア数と信号の関係を示す図である。
【図４】振幅調整回路の入力信号及び出力信号を示す図である。
【図５】一の端末装置の送信信号と他の端末装置の送信信号を示す図である。
【図６】本発明の第１の実施形態によるＯＦＤＭＡの端末装置（無線送信装置）の構成例を示すブロック図である。
【図７】乗算係数出力部の構成例を示すブロック図である。
【図８】本発明の第２の実施形態によるＯＦＤＭＡの端末装置（無線送信装置）の構成例を示すブロック図である。
【図９】乗算係数出力部の構成例を示すブロック図である。
【図１０】乗算器の乗算前の信号及び乗算後の信号を示す図である。
【図１１】乗算器の入力信号及び出力信号を示す図である。
【図１２】ＯＦＤＭＡの端末装置が送信する送信サブフレームを示す図である。
【発明を実施するための形態】
【００１０】
（参考技術）
図１は、ＯＦＤＭＡの端末装置（無線送信装置）の構成例を示すブロック図である。ＷｉＭＡＸ（ワイマックス：Worldwide Interoperability for Microwave Access）は、ＯＦＤＭＡ方式を採用している。端末装置は、ＷｉＭＡＸによる通信を行うことができる。端末装置は、サブキャリアアロケーション回路１０１、ベクトルマッピング回路１０２、逆高速フーリエ変換器１０３、振幅調整回路１０４、デジタルアナログ変換器１０５、ＲＦ（高周波：Radio Frequency）回路１０６及びアンテナ１０７を有する。
【００１１】
図１２は、ＯＦＤＭＡの端末装置が送信する送信サブフレームを示す図である。送信サブフレームは、周波数単位である送信サブキャリア及び時間単位であるシンボルの２次元論理マップで示される。ＯＦＤＭＡでは、図１の端末装置は、基地局との間で無線通信を行う。基地局は、複数の端末装置との間で無線通信を行うことができる。基地局は、各端末装置に対して、シンボル毎に、使用する送信サブキャリアを割り当てる。全送信サブキャリア数は、有限値である。基地局は、通信対象の端末装置の数が多いときには各端末装置に割り当てる送信サブキャリア数を少なくし、通信対象の端末装置の数が少ないときには各端末装置に割り当てる送信サブキャリア数を多くする。また、基地局は、多量の送信データ量送信を要求している端末装置に対してはその端末装置に割り当てる送信サブキャリア数を多くし、少量の送信データ量送信を要求している端末装置に対してはその端末装置に割り当てる送信サブキャリア数を少なくする。例えば、一の端末装置は、期間１２０１では送信サブキャリア数１２１１が割り当てられ、期間１２０２では送信サブキャリア数１２１２が割り当てられ、期間１２０３では送信サブキャリア数１２１３が割り当てられる。端末装置は、シンボル単位で送信サブキャリア数が変化する。
【００１２】
図１において、サブキャリアアロケーション回路１０１は、時間単位であるシンボル毎に送信サブキャリアを割り当てる。例えば、サブキャリアアロケーション回路１０１は、基地局の指示に従い、期間１２０１では送信サブキャリア数１２１１の送信サブキャリアを割り当て、期間１２０２では送信サブキャリア数１２１２の送信サブキャリアを割り当て、期間１２０３では送信サブキャリア数１２１３の送信サブキャリアを割り当てる。
【００１３】
図２は、ベクトルマッピング回路１０２のマッピング処理を示す図であり、複素平面状に配置された信号点を示す。横軸はＩチャネル信号、縦軸はＱチャネル信号を示す。変調方式には、ＢＰＳＫ（Binary Phase Shift Keying）、ＱＰＳＫ（Quadrature Phase Shift Keying）及び１６ＱＡＭ（Quadrature Amplitude Modulation）がある。ＢＰＳＫは、Ｉチャネル信号及びＱチャネル信号の２個の信号点２０１により２個の符号を表現することができる。ＱＰＳＫは、Ｉチャネル信号及びＱチャネル信号の４個の信号点２０２により４個の符号を表現することができる。１６ＱＡＭは、Ｉチャネル信号及びＱチャネル信号の１６個の信号点２０３により１６個の符号を表現することができる。
【００１４】
図１において、ベクトルマッピング回路１０２は、変調方式に応じて、サブキャリアアロケーション回路１０１により割り当てられた送信サブキャリアにおいて符号を図２の複素平面状に配置された信号点にマッピングし、Ｉチャネル信号Ｉ１及びＱチャネル信号Ｑ１を出力する。
【００１５】
逆高速フーリエ変換器１０３は、ベクトルマッピング回路１０２により出力されたＩチャネル信号Ｉ１及びＱチャネル信号Ｑ１の信号点に対して逆高速フーリエ変換することにより、周波数領域の信号を時間領域の信号に変換する。
【００１６】
図３は、送信サブキャリア数と信号の関係を示す図である。送信サブキャリア３０１及び３１１は、１シンボルに割り当てられた送信サブキャリアｆを示す。全送信サブキャリア３０１は、全送信サブキャリアが割り当てられ、全送信サブキャリアを使用して信号を送信する場合の送信サブキャリアを示す。一部送信サブキャリア３１１は、一部の送信サブキャリア３２１が割り当てられ、他の送信サブキャリア３２２が割り当てられず、一部の送信サブキャリア３２１を使用して信号を送信する場合の送信サブキャリアを示す。
【００１７】
時間領域信号３０２は、全送信サブキャリア３０１を使用した場合の逆高速フーリエ変換器１０３の１シンボル当たりの出力信号である。時間領域信号３１２は、一部送信サブキャリア３１１を使用した場合の逆高速フーリエ変換器１０３の１シンボル当たりの出力信号である。周波数スペクトラム３０３は、時間領域信号３０２の周波数スペクトラムを示す。周波数スペクトラム３１３は、時間領域信号３１２の周波数スペクトラムを示す。
【００１８】
一部送信サブキャリア３１１が割り当てられた場合の時間領域信号３１２は、全送信サブキャリア３０１が割り当てられた場合の時間領域信号３０２より振幅が小さくなり、結果として、送信電力が下がることになる。
【００１９】
一部送信サブキャリア３１１が割り当てられた場合の周波数スペクトラム３１３は、周波数インタリーブにより、スペクトラムが櫛状になる。図１２の論理マップでは、割り当てられた送信サブキャリアが連続している場合を例に示したが、送信する際にはランダマイズ処理により、周波数スペクトラム３１３に示すように、櫛状の送信サブキャリアの信号が送信される。一の端末装置が周波数スペクトラム３１３の信号を送信する場合には、他の端末装置はこの櫛状の空いたサブキャリアを使用することになる。一部送信サブキャリア３１１が割り当てられた場合の信号の周波数スペクトラム３１３の高さ３２０は、全送信サブキャリア３０１が割り当てられた場合の信号の周波数スペクトラム３０３の高さ３２０と同じである。
【００２０】
以上のように、送信サブキャリア数が変わると、周波数スペクトラムの高さ３２０は変わらないが、時間領域信号３０２及び３１２の振幅が変わる。
【００２１】
振幅調整回路１０４は、逆高速フーリエ変換器１０３により変換された時間領域信号の振幅が送信サブキャリア数に関係なく一定になるように、逆高速フーリエ変換器１０３により変換された時間領域信号に乗算係数を乗算することにより調整する。
【００２２】
図４は、振幅調整回路１０４の入力信号及び出力信号を示す図である。振幅調整回路１０４は、時間領域信号３１２に乗算係数を乗算し、時間領域信号４０１を出力する。時間領域信号３１２は、図３の時間領域信号３１２と同じ信号であり、一部サブキャリア３１１が割り当てられた場合の１シンボル当たりの時間領域信号であり、振幅が小さい。時間領域信号４０１は、振幅調整回路１０４の出力信号であり、時間領域信号３１２より振幅が大きく、送信電力が大きい。振幅調整回路１０４は、送信サブキャリア数に応じて乗算係数を乗算することにより、送信サブキャリア数に関係なく、振幅が一定の信号を出力することができる。
【００２３】
周波数スペクトラム３１３は、図３の周波数スペクトラム３１３と同じであり、時間領域信号３１２の周波数スペクトラムである。周波数スペクトラム４０２は、時間領域信号４０１の周波数スペクトラムである。周波数スペクトラム４０２は、周波数スペクトラム３１３に対して、高さ３２０が同じであるが、振幅調整回路１０４により全周波数成分に対して乗算されているため、ノイズフロア４０３が上昇してしまう。ノイズフロア４０３は、全周波数成分のノイズである。
【００２４】
また、振幅調整回路１０４は、図３の全送信サブキャリア３０１が割り当てられた時間領域信号３０２を入力すると、それと同じ振幅の時間領域信号３０２を出力する。一部送信サブキャリア３１１が割り当てられた乗算後の時間領域信号４０１の振幅は、全送信サブキャリア３０１が割り当てられた乗算後の時間領域信号３０２の振幅と同じである。しかし、一部送信サブキャリア３１１が割り当てられた乗算後の時間領域信号４０１の周波数スペクトラム４０２は、全送信サブキャリア３０１が割り当てられた乗算後の時間領域信号３０２の周波数スペクトラム３０３に対して、高さ３２０が同じであるが、ノイズフロア４０３が上昇してしまう。
【００２５】
図１において、デジタルアナログ変換器１０５は、振幅調整回路１０４により調整された信号をデジタルからアナログに変換する。ＲＦ回路１０６は、デジタルアナログ変換器１０５により変換された信号を低周波数のベースバンド信号から高周波数のＲＦ信号に変換し、アンテナ１０７を介して基地局に無線送信する。
【００２６】
以上のように、時間領域信号３１２に乗算する乗算係数が送信サブフレーム中又はシンボル時間中一定であるとすると、全周波数帯域の振幅が変化することになり、ノイズフロア４０３を上昇させてしまう。
【００２７】
図５は、一の端末装置の送信信号と他の端末装置の送信信号を示す図である。一の端末装置は上記の図４のノイズフロア４０３を有する信号４０２を送信し、他の端末装置はノイズフロアが０の信号５０１を送信する場合を説明する。基地局は、一の端末装置からの信号４０２及び他の端末装置からの信号５０１を合成して受信する。その結果、信号４０２及び５０１を受信した基地局では、一の端末装置の信号４０２のノイズフロア４０３が他の端末装置の信号５０１に干渉してしまうことになる。一の端末装置の信号は、ノイズフロア４０３が上昇しているためにＳ／Ｎが悪化してしまう。さらに、他の端末装置の信号５０１は、一の端末装置の信号４０２のノイズフロア４０３の干渉により、Ｓ／Ｎが悪化する。その結果、一の端末装置の信号４０２は、他の端末装置の信号５０１の通信を妨害してしまう問題が生じる。
【００２８】
以下、送信サブキャリア数が変化してもノイズフロアを上昇させることなく送信信号の振幅を一定に保つことができる送信装置の実施形態を説明する。
【００２９】
（第１の実施形態）
図６は、本発明の第１の実施形態によるＯＦＤＭＡの端末装置（無線送信装置）の構成例を示すブロック図である。以下、端末装置の送信方法を説明する。ＷｉＭＡＸは、ＯＦＤＭＡ方式を採用している。端末装置は、ＷｉＭＡＸによる通信を行うことができる。図６の端末装置は、図１の端末装置に対して、振幅調整回路１０４を削除し、乗算係数出力部６０１及び乗算器６０２を追加したものである。端末装置は、サブキャリアアロケーション回路１０１、ベクトルマッピング回路１０２、逆高速フーリエ変換器１０３、デジタルアナログ変換器１０５、ＲＦ回路１０６、アンテナ１０７及び乗算係数出力部６０１及び乗算器６０２を有する。
【００３０】
図１２に、ＯＦＤＭＡの端末装置が送信する送信サブフレームを示す。送信サブフレームは、周波数単位である送信サブキャリア及び時間単位であるシンボルの２次元論理マップで示される。ＯＦＤＭＡでは、図６の端末装置は、基地局との間で無線通信を行う。基地局は、複数の端末装置との間で無線通信を行うことができる。基地局は、各端末装置に対して、シンボル毎に、使用する送信サブキャリアを割り当てる。全送信サブキャリア数は、有限値である。基地局は、通信対象の端末装置の数が多いときには各端末装置に割り当てる送信サブキャリア数を少なくし、通信対象の端末装置の数が少ないときには各端末装置に割り当てる送信サブキャリア数を多くする。また、基地局は、多量の送信データ量送信を要求している端末装置に対してはその端末装置に割り当てる送信サブキャリア数を多くし、少量の送信データ量送信を要求している端末装置に対してはその端末装置に割り当てる送信サブキャリア数を少なくする。例えば、一の端末装置は、期間１２０１では送信サブキャリア数１２１１が割り当てられ、期間１２０２では送信サブキャリア数１２１２が割り当てられ、期間１２０３では送信サブキャリア数１２１３が割り当てられる。端末装置は、シンボル単位で送信サブキャリア数が変化する。
【００３１】
図６において、サブキャリアアロケーション回路１０１は、時間単位であるシンボル毎に送信サブキャリアを割り当てる。例えば、サブキャリアアロケーション回路１０１は、基地局の指示に従い、期間１２０１では送信サブキャリア数１２１１の送信サブキャリアを割り当て、期間１２０２では送信サブキャリア数１２１２の送信サブキャリアを割り当て、期間１２０３では送信サブキャリア数１２１３の送信サブキャリアを割り当てる。
【００３２】
図２に、ベクトルマッピング回路１０２のマッピング処理による複素平面状に配置された信号点を示す。横軸はＩチャネル信号、縦軸はＱチャネル信号を示す。変調方式には、ＢＰＳＫ、ＱＰＳＫ及び１６ＱＡＭがある。ＢＰＳＫは、Ｉチャネル信号及びＱチャネル信号の２個の信号点２０１により２個の符号を表現することができる。ＱＰＳＫは、Ｉチャネル信号及びＱチャネル信号の４個の信号点２０２により４個の符号を表現することができる。１６ＱＡＭは、Ｉチャネル信号及びＱチャネル信号の１６個の信号点２０３により１６個の符号を表現することができる。
【００３３】
図６において、ベクトルマッピング回路１０２は、変調方式に応じて、サブキャリアアロケーション回路１０１により割り当てられた送信サブキャリアにおいて符号を図２の複素平面状に配置された信号点にマッピングし、Ｉチャネル信号Ｉ１及びＱチャネル信号Ｑ１を出力する。
【００３４】
乗算係数出力部６０１は、サブキャリアアロケーション回路１０１により割り当てられた送信サブキャリアＡ１を基にシンボル毎の送信サブキャリア数をカウントし、カウントされた送信サブキャリア数に応じた乗算係数Ａ２を出力する。
【００３５】
乗算器６０２は、ベクトルマッピング回路１０２によりマッピングされた図２の複素平面状に配置された信号Ｉ１及びＱ１の信号点に対して、乗算係数出力部６０１により出力された乗算係数Ａ２を乗算し、Ｉチャネル信号Ｉ２及びＱチャネル信号Ｑ２を出力する。
【００３６】
図７は、乗算係数出力部６０１の構成例を示すブロック図である。乗算係数出力部６０１は、送信サブキャリアカウント部７０１及び乗算係数変換テーブル７０２を有する。送信サブキャリアカウント部７０１は、サブキャリアアロケーション回路１０１からのシンボル毎の各送信サブキャリアのイネーブル信号Ａ１を監視して、送信サブキャリア数をカウントし、カウントした送信サブキャリア数Ａ３を出力する。イネーブル信号Ａ１は、例えば、割り当てられた送信サブキャリアの信号が１、割り当てられていない送信サブキャリアの信号が０である。乗算係数変換テーブル７０２は、送信サブキャリア数Ａ３を乗算係数Ａ２に変換し、乗算係数Ａ２を出力する。
【００３７】
図１０は、乗算器６０２の乗算前の信号及び乗算後の信号を示す図である。乗算器６０２は、Ｉチャネル信号Ｉ１及びＱチャネル信号Ｑ１に乗算係数Ａ２を乗算することにより、Ｉチャネル信号Ｉ２及びＱチャネル信号Ｑ２を出力する。これにより、Ｉチャネル信号Ｉ２及びＱチャネル信号Ｑ２の信号点の送信電力は、Ｉチャネル信号Ｉ１及びＱチャネル信号Ｑ１の信号点の送信電力より大きくなる。
【００３８】
図１１は、乗算器６０２の入力信号及び出力信号を示す図である。乗算器６０２は、周波数スペクトラム３１３の信号に乗算係数Ａ２を乗算し、周波数スペクトラム１１０３の信号を出力する。周波数スペクトラム３１３は、図３の周波数スペクトラム３１３と同じであり、一部サブキャリア３１１が割り当てられた場合の信号の周波数スペクトラムであり、高さ３２０を有する。周波数スペクトラム１１０３は、乗算器６０２の出力信号である。周波数スペクトラム１１０３の高さ１１２０は、周波数スペクトラム３１３の高さ３２０より高い。また、周波数スペクトラム１１０３のノイズフロアは、図４と異なり、周波数スペクトラム３１３と同じであり、上昇しない。時間領域信号３１２は周波数スペクトラム３１３の時間領域信号であり、時間領域信号１１０２は周波数スペクトラム１１０３の時間領域信号である。乗算器６０２の乗算により、乗算後の時間領域信号１１０２は、乗算前の時間領域信号３１２より振幅が大きく、送信電力が大きくなる。
【００３９】
また、乗算器６０２は、図３の全送信サブキャリア３０１が割り当てられた周波数スペクトラム３０３の信号を入力すると、それと同じ高さの周波数スペクトラム３０３の信号を出力する。一部送信サブキャリア３１１が割り当てられた乗算後の時間領域信号１１０２の振幅は、全送信サブキャリア３０１が割り当てられた乗算後の時間領域信号３０２の振幅と同じである。これより、乗算器６０２は、送信サブキャリア数に応じた乗算係数Ａ２を乗算することにより、送信サブキャリア数に関係なく、振幅が一定の信号を出力することができる。
【００４０】
図６において、逆高速フーリエ変換器１０３は、乗算器６０２により乗算されたＩチャネル信号Ｉ２及びＱチャネル信号Ｑ２の信号点に対して逆高速フーリエ変換することにより、周波数領域の信号を時間領域の信号に変換する。
【００４１】
デジタルアナログ変換器１０５は、逆高速フーリエ変換器１０３により変換された信号をデジタルからアナログに変換する。ＲＦ回路１０６は、デジタルアナログ変換器１０５により変換された信号を低周波数のベースバンド信号から高周波数のＲＦ信号に変換し、アンテナ１０７を介して基地局に無線送信する。
【００４２】
乗算係数出力部６０１は、シンボル毎に送信サブキャリ数をカウントし、シンボル毎の乗算係数Ａ２を出力することができる。乗算器６０２は、１シンボル分のバッファを有し、シンボル毎の乗算係数Ａ２を乗算することができる。
【００４３】
また、乗算係数出力部６０１は、図１２の送信サブフレーム内の複数のシンボルの中で送信サブキャリア数が最大のシンボルの送信サブキャリア数に応じた乗算係数Ａ２を出力するようにしてもよい。例えば、乗算係数出力部６０１は、図１２の送信サブフレーム内の各シンボルの送信サブキャリア数をカウントし、その中で送信サブキャリア数が最大のシンボルの送信サブキャリア数１２１３に応じた乗算係数Ａ２を、その送信サブレーム期間中、出力する。乗算器６０２は、送信サブフレーム分のバッファを有し、その送信サブフレームの期間中、送信サブキャリア数が最大のシンボルの送信サブキャリア数１２１３に応じた乗算係数Ａ２を乗算する。これにより、乗算器６０１のタイミング制御を容易にすることができる。
【００４４】
また、乗算係数出力部６０１は、図１２の送信サブフレーム内の複数のシンボルの中で送信サブキャリア数が最小のシンボルの送信サブキャリア数に応じた乗算係数Ａ２を出力するようにしてもよい。例えば、乗算係数出力部６０１は、図１２の送信サブフレーム内の各シンボルの送信サブキャリア数をカウントし、その中で送信サブキャリア数が最小のシンボルの送信サブキャリア数１２１２に応じた乗算係数Ａ２を、その送信サブレーム期間中、出力する。乗算器６０２は、送信サブフレーム分のバッファを有し、その送信サブフレームの期間中、送信サブキャリア数が最小のシンボルの送信サブキャリア数１２１２に応じた乗算係数Ａ２を乗算する。これにより、乗算器６０１のタイミング制御を容易にすることができる。
【００４５】
また、乗算係数出力部６０１は、図１２の送信サブフレーム内の１シンボル当たりの送信サブキャリア数の平均値に応じた乗算係数Ａ２を出力するようにしてもよい。例えば、乗算係数出力部６０１は、図１２の送信サブフレーム内の各シンボルの送信サブキャリア数をカウントし、送信サブフレーム内の１シンボル当たりの送信サブキャリア数の平均値を演算し、その平均値に応じた乗算係数Ａ２を、その送信サブレーム期間中、出力する。乗算器６０２は、送信サブフレーム分のバッファを有し、その送信サブフレームの期間中、１シンボル当たりの送信サブキャリア数の平均値に応じた乗算係数Ａ２を乗算する。これにより、乗算器６０１のタイミング制御を容易にすることができる。
【００４６】
以上のように、端末装置は、逆高速フーリエ変換器１０３の前段の乗算器６０２で乗算することにより、送信サブキャリア数が変化しても、ノイズフロアを上昇させることなく、送信信号の振幅（送信電力）を一定に保つことができ、他の端末装置の通信妨害を防止することができる。
【００４７】
また、端末装置は、送信サブキャリア数に関係なく、送信信号の振幅を一定に保つことができるため、送信サブキャリア数が変更されても、ＲＦ回路１０６の入力振幅のダイナミックレンジから外れてしまい、送信特性が劣化することを防ぐことができる。
【００４８】
また、端末装置は、送信サブキャリア数に関係なく、送信信号の振幅を一定に保つことができるため、ＲＦ回路１０６の入力振幅のダイナミックレンジを広く取る必要がなく、ＲＦ回路１０６の入力振幅仕様を緩和することができる。
【００４９】
（第２の実施形態）
図８は、本発明の第２の実施形態によるＯＦＤＭＡの端末装置（無線送信装置）の構成例を示すブロック図である。本実施形態の端末装置（図８）は、第１の実施形態の端末装置（図６）に対して、乗算係数出力部６０１の代わりに乗算係数出力部８０１を設けたものである。以下、本実施形態が第１の実施形態と異なる点を説明する。
【００５０】
乗算係数出力部８０１は、ベクトルマッピング回路１０２によりマッピングされた図２の複素平面状に配置された信号Ｉ１及びＱ１の信号点を基にシンボル毎の送信サブキャリア数をカウントし、カウントされた送信サブキャリア数に応じた乗算係数Ａ２を出力する。乗算器６０２は、ベクトルマッピング回路１０２によりマッピングされた図２の複素平面状に配置された信号Ｉ１及びＱ１の信号点に対して、乗算係数出力部８０１により出力された乗算係数Ａ２を乗算し、Ｉチャネル信号Ｉ２及びＱチャネル信号Ｑ２を出力する。
【００５１】
図９は、乗算係数出力部８０１の構成例を示すブロック図である。乗算係数出力部８０１は、送信サブキャリアカウント部９０１及び乗算係数変換テーブル７０２を有する。送信サブキャリアカウント部９０１は、ベクトルマッピング回路１０２により出力されるＩチャネル信号Ｉ１及びＱチャネル信号Ｑ１を基に、送信サブキャリア数をカウントし、カウントした送信サブキャリア数Ａ３を出力する。Ｉチャネル信号Ｉ１及びＱチャネル信号Ｑ１は、送信サブキャリアが割り当てられている場合には図２に示す信号点の値となり、送信サブキャリアが割り当てられていない場合には原点（０，０）の値となる。乗算係数変換テーブル７０２は、送信サブキャリア数Ａ３を乗算係数Ａ２に変換し、乗算係数Ａ２を出力する。本実施形態は、第１の実施形態と同様の効果を得ることができる。
【００５２】
また、本実施形態では、第１の実施形態と同様に、乗算係数出力部８０１は、シンボル毎の乗算係数Ａ２を出力してもよいし、送信サブフレーム内の最大の送信サブキャリア数１２１３に応じた乗算係数Ａ２を出力してもよいし、送信サブフレーム内の最小の送信サブキャリア数１２１２に応じた乗算係数Ａ２を出力してもよいし、送信サブフレーム内の１シンボル当たりの送信サブキャリア数の平均値に応じた乗算係数Ａ２を出力してもよい。
【００５３】
なお、第１及び第２の実施形態の端末装置は、ＯＦＤＭＡの他、ＯＦＤＭ等の通信にも適用することができる。
【００５４】
以上のように、第１及び第２の実施形態の端末装置は、複素平面状に配置された信号点に対して、送信サブキャリア数に応じた乗算係数Ａ２を乗算する乗算器６０２と、乗算器６０２により乗算された信号点に対して逆フーリエ変換する逆フーリエ変換器１０３とを有する。乗算器６０２は、逆フーリエ変換器１０３により逆フーリエ変換された信号の振幅が送信サブキャリア数に関係なく一定になるように乗算係数Ａ２を乗算する。
【００５５】
第１及び第２の実施形態によれば、端末装置は、逆高速フーリエ変換器１０３の前段の乗算器６０２で乗算することにより、送信サブキャリア数が変化しても、ノイズフロアを上昇させることなく、送信信号の振幅（送信電力）を一定に保つことができ、他の端末装置の通信妨害を防止することができる。
【００５６】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００５７】
１０１  サブキャリアアロケーション回路
１０２  ベクトルマッピング回路
１０３  逆高速フーリエ変換器
１０５  デジタルアナログ変換器
１０６  ＲＦ回路
１０７  アンテナ
６０１  乗算係数出力部
６０２  乗算器
【図１】
2010283533.tif 000003
【図２】
2010283533.tif 000004
【図３】
2010283533.tif 000005
【図４】
2010283533.tif 000006
【図５】
2010283533.tif 000007
【図６】
2010283533.tif 000008
【図７】
2010283533.tif 000009
【図８】
2010283533.tif 000010
【図９】
2010283533.tif 000011
【図１０】
2010283533.tif 000012
【図１１】
2010283533.tif 000013
【図１２】
2010283533.tif 000014